(57)【要約】【課題】製造コストが安価で水作業時の水濡れを軽減できる腕まくりアームキャップを提供すること。【解決手段】本考案の腕まくりアームキャップ１は、小径開口部２ｂ、大径開口部２ｃ及び周壁部２ａを有する筒部２と、小径開口部２ｂから縮径方向に延出されたリング部４と、を備え、筒部２及びリング部４は、弾性のある材料で一体形成され、周壁部２ａは、小径開口部２ｂから大径開口部２ｃまでの全周にわたり、周方向に沿って山部２ａ１と谷部２ａ２とが交互に繰り返される横断面波形状に形成されています。【選択図】図１
0003174248.tif 000002
【実用新案登録請求の範囲】
【請求項１】
小径開口部、大径開口部及び周壁部を有する筒部と、
前記小径開口部から縮径方向に延出されたリング部と、を備え、
前記筒部及び前記リング部が、弾性のある材料で一体形成され、
前記周壁部が、前記小径開口部から前記大径開口部までの全周にわたり、周方向に沿って山部と谷部とが交互に繰り返される横断面波形状に形成されている、
ことを特徴とする腕まくりアームキャップ。
【請求項２】
請求項１記載の腕まくりアームキャップにおいて、
前記筒部と前記リング部の間で前記筒部の軸線方向に形成された円筒部をさらに備えていることを特徴とする腕まくりアームキャップ。
【請求項３】
請求項１または２記載の腕まくりアームキャップにおいて、
前記リング部の内周の端面が、内縁が小径開口部となりかつ外縁が大径開口部となるように拡径方向にテーパー状に形成されていることを特徴とする腕まくりアームキャップ。
【請求項４】
請求項１から３のいずれか１項に記載の腕まくりアームキャップにおいて、
前記筒部の前記小径開口部から前記大径開口部側の前記山部までの高さが、前記小径開口部から前記大径開口部側の前記谷部までの高さよりも大きくなるように形成されていることを特徴とする腕まくりアームキャップ。
【考案の詳細な説明】
【技術分野】
【０００１】
本考案は、洗顔や炊事等水作業時の水濡れを軽減する腕まくりアームキャップに関するものです。
【背景技術】
【０００２】
みなさんは、顔を洗うことが面倒だと思ったことはありませんか？たいていの人は１日１回、朝起きた時や仕事から帰ってきた際など顔を洗うと思いますが、洗面台で顔を洗うと、水に付けた手を上げた際に水が手首から腕方向へツーっと流れ落ちたり、水しぶきがたったりして、洋服の袖部分や胸部分が濡れてしまった、なんてことありませんか？
【０００３】
洗顔するたびに、腕に流れてくる水、その水のせいで洋服の袖や床が濡れる、汚れる、まくっていたはずの洋服の袖も、いつの間にゆるんでしまい結局袖はびしょぬれ、などのため、毎日行わなければならない洗顔に毎度ストレスを感じ、本当に毎日洗顔する時間が一番キライという人もいます。その他、炊事や洗濯時にも同様のことと思います。
【０００４】
そんなストレスをまるで吹き飛ばしてくれ、水作業時のストレスをラクラク解消してくれるものはないだろうかという要求が従来よりあり、洗顔手首カバー（特許文献１）や手首用止水ゴムリング（特許文献２）等の提案がありました。
【先行技術文献】
【特許文献】
【０００５】
【特許文献１】特開２００５−１８８０１４号公報
【特許文献２】特開２０１１−１３２６４５号公報
【考案の概要】
【考案が解決しようとする課題】
【０００６】
しかしながら、特許文献１や特許文献２に提案されているものは、部品の数や製造工程が多いため、製造コストが高価になるという問題がありました。
【０００７】
そこで、本考案は、製造コストが安価で水作業時の水濡れを軽減できる腕まくりアームキャップを提供することを目的としています。
【課題を解決するための手段】
【０００８】
上記課題を解決するためになされた請求項１に記載の考案は、小径開口部２ｂ、大径開口部２ｃ及び周壁部２ａを有する筒部２と、
前記小径開口部２ｂから縮径方向に延出されたリング部４と、を備え、
前記筒部２及び前記リング部４が、弾性のある材料で一体形成され、
前記筒部２の前記周壁部２ａが、前記小径開口部２ｂから前記大径開口部２ｃまでの全周にわたり、周方向に沿って山部２ａ１と谷部２ａ２とが交互に繰り返される横断面波形状に形成されている、
ことを特徴としています。
【０００９】
上記課題を解決するためになされた請求項２に記載の考案は、請求項１記載の腕まくりアームキャップにおいて、前記筒部２と前記リング部４の間で前記筒部２の軸線方向に形成された円筒部３をさらに備えていることを特徴としています。
【００１０】
上記課題を解決するためになされた請求項３に記載の考案は、請求項１または２記載の腕まくりアームキャップにおいて、前記リング部４の内周の端面４ａが、内縁が小径開口部４ｃとなりかつと外縁が大径開口部４ｂとなるように拡径方向にテーパー状に形成されていることを特徴としています。
【００１１】
上記課題を解決するためになされた請求項４に記載の考案は、請求項１から３のいずれか１項に記載の腕まくりアームキャップにおいて、前記筒部２の前記小径開口部２ｂから前記大径開口部２ｃ側の前記山部２ａ２までの高さが、前記小径開口部２ｂから前記大径開口部２ｃ側の前記谷部２ａ１までの高さよりも大きくなるように形成されていることを特徴としています。
【００１２】
なお、上述の課題を解決するための手段の説明における参照符号は、以下の、考案を実施するための形態の説明における構成要素の参照符号に対応していますが、これらは、実用新案登録請求の範囲の解釈を限定するものではありません。
【考案の効果】
【００１３】
本考案の請求項１に記載の考案の腕まくりアームキャップによれば、全体が一体形成されていますので、製造コストが安価になり、水作業時にリング部で肘方向への水の侵入を防止できると共に、筒部で衣服への水はねを軽減することができます。また、筒部が横断面波形状になっていますので、アームキャップ内に溜まった水は、谷部の長手方向に沿って流れ落ちるため、変な方向に飛び出すことなく洗面台シンクの中に流し落とすことができます。
【００１４】
本考案の請求項２に記載の考案によれば、筒部とリング部の間で筒部の軸線方向に形成された円筒部があるので、装着時の安定性が良くなります。
【００１５】
本考案の請求項３に記載の考案によれば、リング部の内周の端面が、内縁が小径開口部となりかつと外縁が大径開口部となるように拡径方向にテーパー状に形成されているので、装着時の肌との滑りが良くなり、前腕への装着が容易になります。
【００１６】
本考案の請求項４に記載の考案によれば、筒部の小径開口部から大径開口部側の山部までの高さが、小径開口部から大径開口部側の谷部までの高さよりも大きくなるように形成されているので、見映えが良くなります。
【図面の簡単な説明】
【００１７】
【図１】本考案の一実施形態に係る腕まくりアームキャップの外観を示す斜視図です。
【図２】腕まくりアームキャップの正面図です。
【図３】腕まくりアームキャップの平面図です。
【図４】腕まくりアームキャップの部分拡大断面図です。
【考案を実施するための形態】
【００１８】
以下、図面を参照しながら本考案の一実施形態について説明します。図１は、本考案の一実施形態に係る腕まくりアームキャップの外観を示す斜視図、図２は、腕まくりアームキャップの正面図、図３は、腕まくりアームキャップの平面図、図４は、腕まくりアームキャップの部分拡大断面図です。
【００１９】
本考案の腕まくりアームキャップ１は、筒部２、円筒部３及びリング部４を備えています。腕まくりアームキャップ１は、全体が弾性のある樹脂またはゴム材料で一体形成されています。特に、発泡性の材料が好ましく、具体的には、例えば、ＥＶＡ（エチレン酢酸ビニル）、ＰＵ（ポリウレタン）、ＰＥ（ポリエチレン）、ポリ塩化ビニル（ＰＶＣ）、ＰＳ（ポリスチレン）、発泡性ゴム等が挙げられます。
【００２０】
筒部２は、周壁部２ａ、小径開口部２ｂ及び大径開口部２ｃを有し、ラッパ状に形成されています。円筒部３は、筒部２の小径開口部２ａから筒部２の軸線Ｌ方向に延出されています。
【００２１】
リング部４は、円筒部３の先端から縮径方向に延出されています。リング部４の内周の端面４ａは、図４に示すように、矢印で示される、後述する前腕への装着方向に次第に拡径するようにテーパー状に形成されています。すなわち、リング部４の端面４ａは、外縁が大径開口部４ｂとなりかつ内縁が小径開口部４ｃとなるように形成されています。
【００２２】
筒部２の周壁部２ａは、筒部２の大径開口部２ｃから円筒部３の先端までの全周にわたり、周方向に沿って複数の谷部２ａ１と山部２ａ２とが交互に繰り返される横断面波形状に形成されています。なお、「谷部」と「山部」という呼称は、図１では筒部２の内側から見た場合の山、谷となる形状について名付けており、筒部２の外側から見た場合は、山と谷の見方が逆になります。谷部２ａ１は、曲率が大きく深い凹面にし、山部２ａ２は、曲率が小さい凸面にしています。この実施の形態では、円筒部３の周壁も、筒部２の周壁部２ａから延長して横断面波形状に形成されていますが、円筒部３の周壁を波形状としない変形も可能です。
【００２３】
また、筒部２における大径開口部２ｃ側端面が、筒部２の軸線Ｌ方向に対して所定の角度θ２で斜めに形成されています。言い換えると、小径開口部２ｂから大径開口部２ｃ側の山部２ａ２までの高さｈ１が、小径開口部２ｂから大径開口部２ｃ側の谷部２ａ１までの高さｈ２よりも大きくなるように形成されています。
【００２４】
このような構成の腕まくりアームキャップ１は、全体が一体形成されているので、製造コストが安価になります。また、大径開口部４ｂ側からリング部４を手に挿入し前腕へ装着した際に、円筒部３があるため装着の安定性が良くなります。また、リング部４が弾性によってたわみ、その内周が前腕に密着します。したがって、腕まくりアームキャップ１を装着した水作業時に、リング部４で肘方向への水の侵入を防止できると共に、ラッパ状の筒部２で衣服への水はねを軽減することができます。
【００２５】
また、水に浸けた手を上げた際に手首から腕方向に流れ込んだ水は、手を下げれば、横断面波形状の筒部２における１つまたは複数の谷部２ａ１を伝って流れ落ちます。もし、筒部２が横断面波形状を有さない平面状のラッパ型に形成されていたとすると、腕の動きにより筒部２内の水が腕の動きに対応する方向へ飛び出していって、洗面台シンクの外側へ流れ落ちてしまうことがあり得ます。しかしながら、本考案の腕まくりアームキャップ１では、筒部２が横断面波形状になっていますので、腕まくりアームキャップ１内に溜まった水は、腕を下げれば小径開口部２ｂから大径開口部２ａの方へ谷部２ａ１の長手方向に沿って流れ落ちるため、変な方向に飛び出すことなく洗面台シンクの中に流し落とすことができます。
【００２６】
また、腕まくりアームキャップ１では、リング部４の内周の端面４ａが、矢印（図４参照）で示される、前腕への装着方向に次第に拡径するようにテーパー状に形成されていますので、装着時の肌との滑りが良くなり、前腕への装着が容易になります。また、筒部２における大径開口部２ｃ側の端面が、筒部２の軸線Ｌ方向に対して所定の角度θ２で斜めに形成されているので、見映えが良くなっています。
【００２７】
次に、本考案の腕まくりアームキャップ１の実際の寸法例を説明します。筒部２の大径開口部２ｃの直径ｄ２は、好ましくは９ｃｍ〜１６ｃｍ、より好ましくは１１ｃｍ〜１４ｃｍ、特に好ましくは１１ｃｍ〜１３ｃｍです。筒部２の高さｈ１は、好ましくは２ｃｍ〜１３ｃｍ、より好ましくは５ｃｍ〜８ｃｍです。円筒部３の高さは、好ましくは０〜２ｃｍです。リング部４の高さは、０〜０．５ｃｍです。したがって、腕まくりアームキャップ１の高さ（すなわち、リング部４から筒部2の大径開口部２ｃ側の山部２ａ２までの高さ）ｈ３は、好ましくは２〜１５．５ｃｍです。筒部２の軸線Ｌ方向と直交する方向に対する小径開口部２ｂの外縁から大径開口部２Ｃの外縁を結ぶ輪郭線のなす角度θ１は、好ましくは約１０°〜８０°までの形状です。また、最高限度については、成人女性の顔の横幅平均が約１６ｃｍであることを前提とした場合、両手に装着した腕まくりアームキャップ１の半径が８ｃｍであれば、顔から直接流れ落ちる水滴も腕まくりアームキャップ１でキャッチすることができることから、直径ｄ２の最高限度は１６ｃｍとしました。
【００２８】
腕まくりアームキャップ１の高さｈ３の最高限度は、成人女性の前腕長さ平均が約２２ｃｍ・太さ平均が約２３ｃｍであることを前提とした場合、腕まくりアームキャップ装着時のリング部位置から手首下までの長さが約１５ｃｍであることから、高さ限度は１５ｃｍとしています。また、成人女性の前腕の太さ（腕回り）平均値が約２３ｃｍであり、太さ平均値から算出される前腕の径は約８ｃｍとなることから、リング部４の小径開口部４ｃは、それよりも小さい値、例えば６ｃｍとしていますが、前記前腕の径の前後の値とすることができ、一例として、段階的に、約４ｃｍ、約６ｃｍ、約８ｃｍ、１０ｃｍ等の値とすることができます。
【００２９】
筒部２の軸線Ｌ方向と直交する方向に対する小径開口部２ｂの側から大径開口部２ｃの側を結ぶ輪郭線のなす角度θ１が、１０°未満になると、腕の動きにより筒部２が不安定になるため、１０°を限界としています。
【００３０】
以上の通り、本考案の一実施形態について説明しましたが、本考案はこれに限らず、種々の変形、応用が可能です。かかる変形、応用によってもなお本考案の構成を具備する限り、勿論、本考案の範疇に含まれるものです。
【００３１】
例えば、リング部４は、筒部２及び円筒部３と異なる材料、例えばゴムやエラストマーで形成してもよいです。また、円筒部３をなくして、リング部４を筒部２の小径開口部２ｂから延出させてもよいです。
【００３２】
また、上述の実施形態では、筒部２の山谷の数は、谷部２ａ１及び山部２ａ２が各１９個となっていますが、適宜変更可能です。
【００３３】
また、谷部２ａ１および山部２ａ２の曲率も適宜変更可能です。具体的は、例えば、谷部２ａ１は、曲率半径０．５ｍｍ〜１５０ｍｍ、好ましくは曲率半径２ｍｍ〜４０ｍｍ、特に好ましくは曲率半径５ｍｍ〜２０ｍｍにそれぞれ対応する曲率とすることができます。
【符号の説明】
【００３４】
１      腕まくりアームキャップ
２      筒部
２ａ    周壁部
２ａ１  谷部
２ａ２  山部
２ｂ    小径開口部
２ｃ    大径開口部
３      円筒部
４      リング部
４ａ    端面
【図１】
0003174248.tif 000003
【図２】
0003174248.tif 000004
【図３】
0003174248.tif 000005
【図４】
0003174248.tif 000006